(57)【要約】【課題】装置のコンパクト化を図る。【解決手段】手持ち式電動工具１０は、モータ３１を内部に収納するケーシング１２と、モータ３１からの回転駆動力を受けて回転駆動する回転工具２１とを備えている。この手持ち式電動工具１０において、ケーシング１２は、モータ３１が有するモータ軸３２を支持するためのベアリング１８を設置するベアリング支持部６１を備え、ベアリング支持部６１は、モータ軸３２が挿入される内方側にベアリング外径よりも小さい径にて形成される小通し穴６１ａと、小通し穴６１ａからケーシング１２の外方側に向けてベアリング外径よりも大きい径にて開放形成される大通し穴６１ｂとを有して形成されることにより、ケーシング１２の外方側からベアリング１８を挿入するように構成されており、さらに、ベアリング支持部６１の内方側には、防塵ラビリンス７１が形成されている。【選択図】図５
2011056621.tif 000002
【特許請求の範囲】
【請求項１】
モータを内部に収納するケーシングと、
前記モータからの回転駆動力を受けて回転駆動する回転工具と、
を備え、前記ケーシングにおける前記モータ収納部分の外周箇所が、操作者から把持を受ける把持部として構成される手持ち式電動工具であって、
前記ケーシングは、前記モータが有するモータ軸を支持するためのベアリングを設置するベアリング支持部を備え、
前記ベアリング支持部は、
前記モータ軸が挿入される内方側にベアリング外径よりも小さい径にて形成される小通し穴と、
前記小通し穴から前記ケーシングの外方側に向けてベアリング外径よりも大きい径にて開放形成される大通し穴と、
を有して形成されることにより、前記ケーシングの外方側から前記ベアリングを挿入するように構成され、さらに、
前記ベアリング支持部の内方側には、防塵ラビリンスが形成されていることを特徴とする手持ち式電動工具。
【請求項２】
請求項１に記載の手持ち式電動工具において、
前記防塵ラビリンスの形成範囲が、ベアリング外径以下の領域内に収まるように構成されていることを特徴とする手持ち式電動工具。
【発明の詳細な説明】
【技術分野】
【０００１】
本発明は、手持ち式電動工具に係り、特に、ケーシングにおけるモータ収納部分の外周箇所が、操作者から把持を受ける把持部として構成される手持ち式電動工具に関するものである。
【背景技術】
【０００２】
従来から、ハンドグラインダやハンドドリル等のモータを駆動源として用いた電動工具が知られている。この種の電動工具では、モータが有するモータ軸を回転可能に保持するためにベアリングが用いられているが、このベアリングに対して塵芥等が侵入することがないように、防塵構造を付与することが行われていた。例えば、下記特許文献１に記載の電動工具では、ベアリングの外方側にラビリンス構造を形成することで、ベアリング内に塵芥が侵入することを防止する技術が提案されている（なお、ここでの「ベアリングの外方側」とは、ベアリングにおけるモータ設置側とは逆側の箇所を指している）。
【先行技術文献】
【特許文献】
【０００３】
【特許文献１】特開平８−１８２２４２号公報
【発明の概要】
【発明が解決しようとする課題】
【０００４】
上記特許文献１に記載の技術では、防塵リングとベアリング側面とベアリングキャップの端部という３つの構成部材によってラビリンス構造が形成されており、しかも、このラビリンス構造は、モータ軸に設置されたベアリングの外方側（すなわち、ベアリングにおける反モータ設置側）に形成されるものであった。したがって、上記特許文献１が開示するラビリンス構造は、比較的大きな設置領域を必要とするものであった。
【０００５】
一方、近時の産業界では、特に、ケーシングにおけるモータ収納部分の外周箇所が、操作者から把持を受ける把持部として構成される手持ち式電動工具について、その操作性の向上のために、装置の外形をより一層コンパクト化することが求められていた。しかしながら、上記特許文献１に代表される従来の技術では、電動工具を好適に動作させる防塵等の機能を維持しながらも、装置のコンパクト化を実現することが非常に困難であった。よって、電動工具としての機能を維持しながらも、さらなる装置のコンパクト化を実現することのできる新たな技術の創出が求められていた。
【０００６】
本発明は、上述した課題の存在に鑑みて成されたものであって、その目的は、手持ち式電動工具が従来から有する防塵等の好適な機能は維持しながらも、より装置をコンパクト化することのできる新たな技術を提供することにある。
【課題を解決するための手段】
【０００７】
以下、本発明について説明する。なお、本発明の理解を容易にするために添付図面の参照番号を括弧書きにて付記するが、それにより本発明が図示の形態に限定されるものではない。
【０００８】
本発明に係る手持ち式電動工具（１０）は、モータ（３１）を内部に収納するケーシング（１２）と、前記モータ（３１）からの回転駆動力を受けて回転駆動する回転工具（２１）と、を備え、前記ケーシング（１２）における前記モータ（３１）収納部分の外周箇所が、操作者から把持を受ける把持部として構成される手持ち式電動工具（１０）であって、前記ケーシング（１２）は、前記モータ（３１）が有するモータ軸（３２）を支持するためのベアリング（１８）を設置するベアリング支持部（６１）を備え、前記ベアリング支持部（６１）は、前記モータ軸（３２）が挿入される内方側にベアリング外径よりも小さい径にて形成される小通し穴（６１ａ）と、前記小通し穴（６１ａ）から前記ケーシング（１２）の外方側に向けてベアリング外径よりも大きい径にて開放形成される大通し穴（６１ｂ）と、を有して形成されることにより、前記ケーシング（１２）の外方側から前記ベアリング（１８）を挿入するように構成され、さらに、前記ベアリング支持部（６１）の内方側には、防塵ラビリンス（７１）が形成されていることを特徴とする。
【０００９】
本発明に係る手持ち式電動工具（１０）では、前記防塵ラビリンス（７１）の形成範囲が、ベアリング外径以下の領域内に収まるように構成されていることとすることができる。
【発明の効果】
【００１０】
本発明によれば、手持ち式電動工具が従来から有する防塵等の好適な機能は維持しながらも、より装置をコンパクト化することのできる新たな技術を提供することができる。
【図面の簡単な説明】
【００１１】
【図１】本実施形態に係る手持ち式電動工具の外観右側面図である。
【図２】本実施形態に係る手持ち式電動工具の外観正面図である。
【図３】本実施形態に係る手持ち式電動工具の外観背面図である。
【図４】本実施形態に係る手持ち式電動工具を底面から見た場合の図であり、回転工具としての砥石、安全カバー、ハウジングを構成する部材の一部などが取り外された状態を示している。
【図５】本実施形態に係る手持ち式電動工具の内部構造を説明するための縦断面右側面図である。
【図６】図５におけるＡ部の詳細を示す部分拡大断面図である。
【発明を実施するための形態】
【００１２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】
図１は、本実施形態に係る手持ち式電動工具の外観右側面図であり、図２は、本実施形態に係る手持ち式電動工具の外観正面図であり、図３は、本実施形態に係る手持ち式電動工具の外観背面図である。また、図４は、本実施形態に係る手持ち式電動工具を底面から見た場合の図であり、回転工具としての砥石２１、安全カバー２２、ハウジング１１を構成する部材の一部などが取り外された状態を示している。さらに、図５は、本実施形態に係る手持ち式電動工具の内部構造を説明するための縦断面右側面図であり、図６は、図５におけるＡ部の詳細を示す部分拡大断面図である。
【００１４】
図１〜図６にて示すように、本実施形態に係る手持ち式電動工具１０は、手持ち式の携帯用グラインダとして構成されるものであり、操作者が片手で持つことができるように略円筒状に形成されたハウジング１１と、研削作業を行うための回転工具である円盤状の砥石２１とを有している。
【００１５】
ハウジング１１は、駆動源となるモータ３１を内部に収納するケーシングとしてのモータケース１２と、モータ３１からの回転駆動力を受けてこの回転駆動力を砥石２１に伝達するための複数の歯車群等からなる駆動力伝達手段を収納するギアケース１３と、モータ３１に対して電力を供給するための電力コードやスイッチボックス等の給電機器が収納されたカバー部材としてのテールカバー１４とによって構成されている。
【００１６】
モータケース１２は、樹脂又はアルミニウム合金などの金属製の部材によって構成されており、このモータケース１２におけるモータ収納部分の外周箇所が、操作者から把持を受ける把持部として構成される部材である。モータケース１２の外郭形状は、操作者が把持し易いように略円筒状に形成されており、その表面には、滑り止めのための凹凸形状１２ａが形成されている。
【００１７】
モータケース１２の前方側に連結されるギアケース１３は、例えばアルミニウム合金などの金属製の部材により構成されている。そして、このギアケース１３の下部には、研削作業を行うこととなる回転工具としての砥石２１が配置されており、砥石２１の背面側には、操作者に対して切粉などが飛散しないようにするために、安全カバー２２が設置されている。
【００１８】
テールカバー１４は、樹脂によって構成されている。このテールカバー１４は、上下で分割できるように構成されており、例えば図４にて示されるように、底面側の半割部材を取り外すことによって、内部に設置された給電機器等のメンテナンスを行えるようになっている。
【００１９】
手持ち式電動工具１０の内部構造を描いた図５にて示されるように、モータケース１２の内部には砥石２１を駆動するための駆動源となるモータ３１が収納されており、このモータ３１は、モータ軸３２の軸心が略円筒状のモータケース１２の軸心と略重畳するように配置されている。また、モータ軸３２の前端部３２ａはモータケース１２内からギアケース１３内へと突出し、モータケース１２とギアケース１３とで挟まれた位置で固定された前部ベアリング１７に支持されている。一方、モータ軸３２の後端部３２ｂは、モータケース１２の後部において後部ベアリング１８に支持されている。したがって、モータ軸３２は、前後部のベアリング１７，１８により両端部３２ａ，３２ｂを支持されることで、高速回転できるように構成されている。
【００２０】
モータ軸３２の前端部３２ａの側には、モータケース１２内に収まるように冷却ファン１９が設置されている。冷却ファン１９は、モータケース１２内に配置されることで、モータケース１２の中心部に冷却風を通す役割を果たしている。したがって、モータ軸３２と共に冷却ファン１９が回転すると、外気がモータケース１２内に取り込まれ、モータケース１２内の隙間を通ってモータ３１等を冷却した後、機外に排出される。
【００２１】
なお、モータ軸３２の後端部３２ｂには整流子３３が取り付けられており、モータケース１２に取り付けられた不図示のブラシがこの整流子３３に接触している。整流子３３および不図示のブラシについても、上述した冷却ファン１９の作用によって取り入れられた冷却風により、冷却が実施される。
【００２２】
ギアケース１３内には、モータ軸３２の前端部３２ａに固定される小傘歯車２３と、この小傘歯車２３に噛み合う大傘歯車２４が収納されている。大傘歯車２４は、ギアケース１３内にベアリング２５，２６を介して垂直に支持された駆動軸２７に固定されており、この駆動軸２７がギアケース１３の下方に突出し、この突出箇所に砥石２１が着脱自在に固定されている。これら小傘歯車２３、大傘歯車２４、駆動軸２７等の部材が駆動力伝達手段として機能することにより、モータ３１が回転すると、この回転駆動力がモータ軸３２から小傘歯車２３、大傘歯車２４へと伝達され、最終的に駆動軸２７を介して砥石２１が回転することになるので、被加工対象物に対する研削加工が実行可能となる。
【００２３】
さらに、テールカバー１４には、オン・オフスイッチ２８やその他の給電機器が収納されており、操作者がオン・オフスイッチ２８を切り替え操作することによって、モータ３１が回転又は停止し、手持ち式電動工具１０の操作を行うことが可能となっている。すなわち、操作者がモータケース１２を片手で把持し、他方の手の指でオン・オフスイッチ２８をＯＮにすると、モータ３１が回転し、モータ軸３２から小傘歯車２３、大傘歯車２４へと動力が伝達され、砥石２１が回転する。これにより、被加工対象物に対して研削加工を行うことができる。このとき、モータ軸３２の回転と同時に冷却ファン１９が回転するので、外気がモータケース１２内に取り込まれる。この外気が、モータケース１２の内壁面とモータ３１との間の隙間を通ってモータ３１や整流子３３、不図示のブラシなどの発熱源を冷却した後、モータケース１２内を通り抜けて機外に排出されるので、安全・安定した手持ち式電動工具１０の動作が実現されている。研削作業が終了し、操作者がオン・オフスイッチ２８をＯＦＦにすると、モータ３１が停止し、砥石２１が回転を停止する。
【００２４】
以上、本実施形態に係る手持ち式電動工具１０の基本構成について説明したが、本実施形態に係る手持ち式電動工具１０は、さらなる有意な特徴を有している。そこで、図６を用いて、本実施形態に係る手持ち式電動工具１０の構成をさらに説明する。
【００２５】
本実施形態において、モータ軸３２の後端部３２ｂを支持する後部ベアリング１８は、モータケース１２の後部に形成されたベアリング支持部６１に対してベアリングゴム２９を介して設置されている。ベアリング支持部６１は、モータケース１２の内外方に貫通する通し孔として形成されており、さらに具体的に説明すると、ベアリング支持部６１は、モータ軸３２の後端部３２ｂが挿入される内方側（正面側）に後部ベアリング１８の外径よりも小さい径にて形成される小通し穴６１ａを有し、この小通し穴６１ａからモータケース１２の外方側（背面側）に向けて後部ベアリング１８の外径よりも大きい径にて開放形成される大通し穴６１ｂを有して形成されている。つまり、本実施形態において、後部ベアリング１８は、モータケース１２の外方側（背面側）からベアリング支持部６１の大通し穴６１ｂ内に対して挿入されることでモータケース１２に設置されており、モータケース１２の内方側（正面側）から小通し穴６１ａを貫通して大通し穴６１ｂ内に突出するモータ軸３２の後端部３２ｂは、ベアリング支持部６１の大通し穴６１ｂ内に設置された前記後部ベアリング１８によって支持されるように構成されている。
【００２６】
なお、後部ベアリング１８と大通し穴６１ｂとの間に設置されるベアリングゴム２９は、振動を吸収するために設けられる部材であり、大通し穴６１ｂ内に設置された後部ベアリング１８によるモータ軸３２の後端部３２ｂの安定した支持を補助している。
【００２７】
また、上述したように、モータケース１２の外方側（背面側）には、カバー部材としてのテールカバー１４が連接されている。したがって、後部ベアリング１８が挿入される大通し穴６１ｂの外方側（背面側）は、このテールカバー１４によって保持されることになるので、後部ベアリング１８の確実な固定状態が維持されることとなる。
【００２８】
さらに、本実施形態では、ベアリング支持部６１の内方側（正面側）に対して、防塵ラビリンス７１が形成されている。この防塵ラビリンス７１は、モータケース１２における小通し穴６１ａの形成箇所近傍からモータケース１２内方側（正面側）に向けて形成される凸形状７２と、この凸形状７２の内方側（正面側）に配置される防塵カラー７３が有する凹形状７３ａとが協働することによって形成される構造である。
【００２９】
この構造についてさらに具体的に説明すると、防塵カラー７３は、凸形状７２の内方側（正面側）に形成された比較的狭いスペースに収納できる部材であり、設置状態において前記凸形状７２と対向配置される凹形状７３ａを有する部材である。一方、モータケース１２に形成された凸形状７２は、小通し穴６１ａの内径と大通し穴６１ｂの内径との中間位置にて形成されている。したがって、本実施形態に係る手持ち式電動工具１０では、防塵ラビリンス７１の形成範囲が、後部ベアリング１８の外径以下の領域内に収まるように構成することが可能となっており、この構成によって、防塵等の好適な機能は維持しながらも、よりコンパクト化された手持ち式電動工具１０を実現することが可能となっている。かかる作用効果は、後部ベアリング１８をモータケース１２の外方側（背面側）から挿入するようにし、防塵ラビリンス７１を後部ベアリング１８設置位置の内方側（正面側）に形成するようにしたことから実現可能となったものである。
【００３０】
以上、本発明の好適な実施形態について説明したが、本発明の技術的範囲は上記実施形態に記載の範囲には限定されない。上記実施形態には、多様な変更又は改良を加えることが可能である。
【００３１】
例えば、上述した実施形態は、手持ち式の携帯用グラインダとして構成されるものについて例示して説明したが、本発明に係る手持ち式電動工具は、手持ち式の携帯用ドリルなどといったあらゆる形式の手持ち式電動工具に対して適用することが可能である。
【００３２】
また、上述した実施形態では、モータ軸３２の後端部３２ｂを支持する後部ベアリング１８に適用される防塵ラビリンス７１について説明を行ったが、モータ軸の前端部を支持する前部ベアリングやその他の部材に対して本発明の防塵ラビリンスを適用することも可能である。
【００３３】
さらに、上述した実施形態では、モータケース１２に対して凸形状７２を形成し、防塵カラー７３に対して凹形状７３ａを形成した場合を例示して説明を行ったが、本発明の防塵ラビリンスを協働して形成する凸形状と凹形状の形成部材については、適宜変更することができる。
【００３４】
またさらに、上述した実施形態では、モータケース１２のベアリング支持部６１が有する大通し穴６１ｂ内に設置された後部ベアリング１８の外方側（背面側）をテールカバー１４によって保持する形態を例示したが、後部ベアリング１８の外方側（背面側）を保持する部材については、カバー部材として機能するものであればどのような形態のものであってもよい。
【００３５】
その様な変更又は改良を加えた形態も本発明の技術的範囲に含まれ得ることが、特許請求の範囲の記載から明らかである。
【符号の説明】
【００３６】
１０  手持ち式電動工具、１１  ハウジング、１２  モータケース、１２ａ  凹凸形状、１３  ギアケース、１４  テールカバー、１７  前部ベアリング、１８  後部ベアリング、１９  冷却ファン、２１  砥石、２２  安全カバー、２３  小傘歯車、２４  大傘歯車、２５，２６  ベアリング、２７  駆動軸、２８  オン・オフスイッチ、２９  ベアリングゴム、３１  モータ、３２  モータ軸、３２ａ  前端部、３２ｂ  後端部、３３  整流子、６１  ベアリング支持部、６１ａ  小通し穴、６１ｂ  大通し穴、７１  防塵ラビリンス、７２  凸形状、７３  防塵カラー、７３ａ  凹形状。
【図１】
2011056621.tif 000003
【図２】
2011056621.tif 000004
【図３】
2011056621.tif 000005
【図４】
2011056621.tif 000006
【図５】
2011056621.tif 000007
【図６】
2011056621.tif 000008